(57)【特許請求の範囲】
【請求項１】
電磁弁の弁作動部分の一部を含む柱状部材を第１のハウジングに立設すると共に、前記電磁弁のソレノイドを第２のハウジングに支持し、該第２のハウジングと前記第１のハウジングを接合し前記柱状部材を前記ソレノイドに嵌合して前記電磁弁を構成する電磁弁ユニットにおいて、前記ソレノイドが、円筒状のコイルと、該コイルの軸方向の両側に配置して接合する第１のヨーク及び第２のヨークと、該第１及び第２のヨークの何れか一方と前記コイルとの間に介装する弾性部材とを備えたサブアセンブリから成り、前記コイルを前記第２のハウジングに固定し、前記第１及び第２のヨークを前記コイルに対し、前記コイルの径方向及び軸方向に相対的移動可能に支持することを特徴とする電磁弁ユニット。
【請求項２】
前記第１及び第２のヨークの少くとも一方が、前記コイルの中空部内に延出する円筒部を備え、該円筒部の外面と前記コイルの中空部内面との間に所定の間隙を以って前記コイルを前記円筒部に遊嵌することを特徴とする請求項１記載の電磁弁ユニット。
【請求項３】
少なくとも前記第１のヨークが前記円筒部を備え、前記弾性部材が、前記第１のヨークと前記コイルとの間で前記円筒部に遊嵌するウェーブワッシャから成り、前記第１のヨークが前記第１のハウジングに当接するように前記ソレノイドを配置し、前記ウェーブワッシャによって前記第１及び第２のヨークを前記第１のハウジング方向に付勢することを特徴とする請求項２記載の電磁弁ユニット。
【発明の詳細な説明】
【０００１】
【発明の属する技術分野】
本発明は電磁弁ユニットに関し、特に自動車の液圧制御装置に好適な電磁弁ユニットに係る。
【０００２】
【従来の技術】
従来、例えばアンチスキッド制御装置のように、自動車の液圧制御装置においては電磁弁によって液圧制御を行なうこととしており、その一構成部品として、複数の電磁弁の弁作動部分の一部を一つのハウジングに収容すると共に、各電磁弁のソレノイドを別のハウジングに支持し、これらのハウジングを接合して複数の電磁弁を構成する電磁弁ユニットが用いられている。例えば特開平７−２４８０６８号公報には、各電磁弁のソレノイドに電気的に接続するときの配線をまとめて行なうようにした電磁弁ユニットが開示されている。
【０００３】
また、英国特許ＧＢ２２４９８７４Ｂ公報には、二つのハウジングのうちの一方にソレノイドを配置し他方に制御回路基板を配置することとし、二つのハウジング間を連通する複数の孔の各々に弾性部材を挿入し、この弾性部材によって、ソレノイドに接続するワイヤを保持すると共に、二つのハウジング間のシールを行なうようにした装置が開示されている。
【０００４】
具体的には、同公報の図２に示すように、アンチスキッド制御装置（ＡＢＳ）用のバルブハウジング（２０）にハウジング（２４）が接合され、これに更にハウジング（４８）が接合されている。バルブハウジング（２０）は、ハウジング（２４）内に支持される複数のソレノイド（図中では一個のみが表れている）の磁束を通すべく磁性材料で形成されている。各ソレノイドは、非磁性体のドーム（３０）を囲繞し金属ヨーク（２８）内に収容される環状コイル（２６）を有する。各ソレノイドからは二つの金属ワイヤ（３４）が夫々ハウジング（２４）のボア（３２）を介して延出し、フレキシブル回路基板（３８）と電気的に接続している。そして、弾性部材（４０）が各ワイヤを囲繞し、各ボアに配設される。この弾性部材（４０）はコイル（２６）を支持すると共に、ハウジング（２４）内でのコイルの相対移動を一定の範囲で許容するように構成されている。
【０００５】
更に、独国特許公開ＤＥ４３３０８２７Ａ１公報には、複数の電磁弁を備えたアンチスキッド制御等に供するブレーキ液圧制御装置が開示されている。この装置には、同公報の図１に示すように、例えばスプリングから成るストッパ（３）を有する成形体（２）の内部に、コイル（１）が配置され、各ストッパ（３）が、ドーム形状体（４）に当接可能な筒部材（５）と接触し、磁路を形成するコイル被覆体（６）の上面に各筒部材（５）が当接する構造が開示されている。尚、上記の括弧内に示した番号は、前掲の各公報の図面に付された符号をそのまま引用したものであるので、後述する本発明の実施形態と重複する番号もあるが、相互に対応するものではない。
【０００６】
【発明が解決しようとする課題】
上記英国特許公報においては、ハウジング（２４）に複数のボア（３２）を形成し、その各々に弾性部材（４０）を挿入してコイル（２６）を支持する構成としているので、ハウジング（２４）に対し、弾性部材（４０）、金属ヨーク（２８）及びコイル（２６）を組み込まなければならず、組付けが困難である。しかも、弾性部材（４０）内を金属ワイヤ（３４）が挿通する構造であるので、組付時のワイヤの断線が懸念される。また、独国特許公開ＤＥ４３３０８２７Ａ１公報に記載の装置においても、成形体（２）に対し、ストッパ（３）、筒部材（５）及びコイル（１）を順次組み込まなければならないので、組付けが煩雑であり、特にストッパ（３）の扱いが困難である。これに対し、ストッパ（３）を成形体（２）と一体的に形成する態様も開示されているが、この態様では成形体（２）の製造が困難となるだけでなく、ストッパ（３）の弾性力の設定も困難となる。
【０００７】
そこで、本発明は、電磁弁の弁作動部分の一部を含む柱状部材に対し、適切に嵌合し得るようにソレノイドをハウジングに支持すると共に、容易に組付可能な電磁弁ユニットを提供することを課題とする。
【０００８】
【課題を解決するための手段】
上記の課題を解決するため、本発明は、請求項１に記載のように、電磁弁の弁作動部分の一部を含む柱状部材を第１のハウジングに立設すると共に、前記電磁弁のソレノイドを第２のハウジングに支持し、該第２のハウジングと前記第１のハウジングを接合し前記柱状部材を前記ソレノイドに嵌合して前記電磁弁を構成する電磁弁ユニットにおいて、前記ソレノイドが、円筒状のコイルと、該コイルの軸方向の両側に配置して接合する第１のヨーク及び第２のヨークと、該第１及び第２のヨークの何れか一方と前記コイルとの間に介装する弾性部材とを備えたサブアセンブリから成り、前記コイルを前記第２のハウジングに固定し、前記第１及び第２のヨークを前記コイルに対し、前記コイルの径方向及び軸方向に相対的移動可能に支持するように構成したものである。
【０００９】
特に、請求項２に記載のように、前記第１及び第２のヨークの少くとも一方を、前記コイルの中空部内に延出する円筒部を備えたものとし、該円筒部の外面と前記コイルの中空部内面との間に所定の間隙を以って前記コイルを前記円筒部に遊嵌するように構成することが望ましい。
【００１０】
更に、請求項３に記載のように、少なくとも前記第１のヨークが前記円筒部を備え、前記弾性部材が、前記第１のヨークと前記コイルとの間で前記円筒部に遊嵌するウェーブワッシャから成り、前記第１のヨークが前記第１のハウジングに当接するように前記ソレノイドを配置し、前記ウェーブワッシャによって前記第１及び第２のヨークを前記第１のハウジング方向に付勢するように構成するとよい。
【００１１】
【発明の実施の形態】
以下、本発明の電磁弁ユニットの実施形態を図面を参照して説明する。図１乃至図７は本発明の電磁弁ユニットの一実施形態に係り、本実施形態では自動車のアンチスキッド制御用の液圧制御装置（図示せず）に供される。この電磁弁ユニットは、第１のハウジングたるバルブハウジング１０と、必要に応じてパッキンを介してバルブハウジング１０に固定する第２のハウジングたるソレノイドハウジング３０と、必要に応じてパッキンを介してソレノイドハウジング３０に固定するカバー６０から成る筐体である。バルブハウジング１０は金属製であり、ソレノイドハウジング３０及びカバー６０は例えば合成樹脂によって形成されている。
【００１２】
バルブハウジング１０には、液圧制御回路が形成されると共に例えば８個の電磁弁の弁作動部分（図示せず）が収容されており、その一部がスリーブ２０内に収容されている。スリーブ２０は図７に示すようにバルブハウジング１０の上部に８個立設されている（図７では代表して２個のみに符号を付している）。各電磁弁は例えば２ポジションソレノイドバルブで構成されており、例えば図１に示す一対のスリーブ２０によって、夫々常開と常閉の電磁弁が構成されている。一方、各電磁弁のソレノイドは、後述するように、ソレノイドユニット４０として図５及び図６に示すようにソレノイドハウジング３０に支持される。
【００１３】
ソレノイドハウジング３０は、外周を画定する周壁３１と、その内側に形成する隔壁３２を有し、この隔壁３２によって後述の複数のソレノイドユニット４０を収容する複数の室（本実施形態では図５に示すように四つの室）に区画されている。そして、ソレノイドハウジング３０がバルブハウジング１０に接合されると周壁３１内の空間が密閉される。而して、図１に示すように、ソレノイドハウジング３０の下部に各電磁弁のソレノイドユニット４０が配設され、ソレノイドハウジング３０の上部には電子制御回路基板５０が配設されている。この電子制御回路基板５０は、複数の電磁弁を制御する電子制御素子（図示せず）が実装されたものである。
【００１４】
ソレノイドユニット４０は図２に示すように、円筒状のコイル４４と、このコイル４４を軸方向の両側に配置して接合する第１のヨーク４１及び第２のヨーク４２と、第１のヨーク４１とコイル４４との間に介装するウェーブワッシャ４５から成り、サブアセンブリを構成している。
【００１５】
第１のヨーク４１は磁性材料で形成され、Ｕ字状の本体部４１ａの底面から両腕部と平行に円筒部４１ｂが延出形成されている。本体部４１ａの両端部には一対の爪を有するかしめ部４１ｃ，４１ｄが形成されている。また、第２のヨーク４２も磁性材料で形成され、平板状の本体部４２ａに垂直に円筒部４２ｂが延出形成されている。尚、円筒部４１ｂ，４２ｂの内外径は夫々同径に形成される。第２のヨーク４２の本体部４２ａの両端部には、かしめ部４１ｃ，４１ｄを収容するための凹部４２ｃ，４２ｄが形成されている。
【００１６】
コイル４４はボビン４３に巻線４４ａが巻回されて成る。ボビン４３は絶縁樹脂材料によって形成され、円筒部４３ａの両端に一対の矩形の鍔部４３ｂ，４３ｃを備えたもので、鍔部４３ｂから軸方向に一対の支持部４３ｄ，４３ｅが延出形成されている。円筒部４３ａの中空部の内径は第１及び第２のヨーク４１，４２の円筒部４１ｂ，４２ｂの外径より大に設定されている。また、鍔部４３ｂには、巻線４４ａの両端が接続されるターミナル４４ｂ，４４ｃを、支持部４３ｄ，４３ｅと平行に保持するための保持部４３ｐ，４３ｓも形成されている。ウェーブワッシャ４５はコイル４４を第２のヨーク４２側に付勢するもので、本発明の弾性部材を構成する。ウェーブワッシャ４５は、ばね材料によって環状に形成され、その内径は円筒部４１ｂの外径より大に設定されている。尚、弾性部材としては、ウェーブワッシャ４５に代えてコイルスプリング等を用いることとしてもよい。
【００１７】
ソレノイドユニット４０の組付けに当たっては、先ずボビン４３に巻線４４ａが巻回されてコイル４４が構成され、ターミナル４４ｂ，４４ｃが鍔部４３ｂの保持部４３ｐ，４３ｓに保持される。次に、第１のヨーク４１の円筒部４１ｂにウェーブワッシャ４５が装着された後、ボビン４３の円筒部４３ａが第１のヨーク４１の円筒部４１ｂに装着される。このとき、円筒部４１ｂの外面とコイル４４の中空部内面との間に所定の間隙が形成されるので、相対移動可能である。そして、第２のヨーク４２の円筒部４２ｂがボビン４３の円筒部４３ａ内に嵌合されると共に、凹部４２ｃ，４２ｄに夫々第１のヨーク４１のかしめ部４１ｃ，４１ｄが嵌合される。この後、かしめ部４１ｃ，４１ｄの一対の爪が夫々外側に拡開され、第１のヨーク４１と第２のヨーク４２が強固に結合される。
【００１８】
而して、図３及び図４に示すようにソレノイドユニット４０のサブアセンブリが形成される。このとき、ボビン４３の円筒部４３ａと第１及び第２のヨーク４１，４２の円筒部４１ｂ，４２ｂとの間には間隙（図３にＳで表す）が形成されるので、ボビン４３（コイル４４）は円筒部４１ｂ，４２ｂに遊嵌された状態となり、第１及び第２のヨーク４１，４２がコイル４４に対して相対的に移動可能に支持されている。また、円筒部４１ｂと円筒部４２ｂとの間にも間隙（図３にＧで表す）が形成されている。
【００１９】
上記の構成になる各部品を組み付けるに当っては、先ず、前述のようにソレノイドのサブアセンブリが形成されてソレノイドユニット４０となる。そして、ソレノイドユニット４０がソレノイドハウジング３０に支持される。具体的には、図４に示すように、ソレノイドハウジング３０に形成された断付孔３２に、ボビン４３の支持部４３ｄ，４３ｅが挿通された後、これらの頭部が加熱溶融される。このように、所謂熱かしめによってボビン４３がソレノイドハウジング３０に固定される。このとき、支持部４３ｄ，４３ｅには突起４３ｆ，４３ｇが形成されており、ここでソレノイドハウジング３０に係止されるので、第１及び第２のヨーク４１，４２の上端がソレノイドハウジング３０の下面に当接することはなく、図３に示すように両者間に間隙Ｄが形成される。
【００２０】
この結果、第１のヨーク４１は図３及び図４に示すようにウェーブワッシャ４５によりボビン４３に対して下方に付勢された状態となり、常態ではボビン４３の鍔部４３ｂは第２のヨーク４２の下面に当接し、ボビン４３の鍔部４３ｃの下面と第１のヨーク４１の上端との間の間隙が最大となっている。前述のようにボビン４３の円筒部４３ａと第１及び第２のヨーク４１，４２との間には間隙Ｓ（図３）が形成され、第１及び第２のヨーク４１，４２の上端とソレノイドハウジング３０の下面との間に間隙Ｄが形成されているので、ソレノイドハウジング３０に固定されたボビン４３（及びコイル４４）に対し、第１及び第２のヨーク４１，４２がウェーブワッシャ４５の付勢力に抗して上下、左右、何れの方向にも移動し得るように支持された状態となる。
【００２１】
また、電子制御回路基板５０がソレノイドハウジング３０に支持され、ソレノイドユニット４０のターミナル４４ｂ，４４ｃが電子制御回路基板５０の各ターミナルに電気的に接続される。そして、ソレノイドハウジング３０がバルブハウジング１０に固定されると、ソレノイドユニット４０及びスリーブ２０は図１に示すように結合される。この場合において、バルブハウジング１０に立設された８本のスリーブ２０を、ソレノイドハウジング３０に支持された８個のソレノイドユニット４０の円筒部４１ｂ，４２ｂに夫々挿入する際、仮に両者が夫々剛結合されていると、各部品の寸法公差、製造時のばらつき、組付け時の干渉等に起因して各部品に大きな力が加わるおそれがある。これに対し、本実施形態においては、第１及び第２のヨーク４１，４２がボビン４３に対して上下、左右、何れの方向にも移動し得るので、大きな力が直接各部品に加わることなく適切に吸収され、容易に組み付けることができる。
【００２２】
以上のようにソレノイドハウジング３０がバルブハウジング１０に固定されると、第１及び第２のヨーク４１，４２がウェーブワッシャ４５の付勢力に抗して図１の上方に移動し、ボビン４３の上端と第２のヨーク４２の下面との間にも若干の間隙が形成された状態となる。従って、ソレノイドユニット４０のバルブハウジング１０への組付け後も各部品の変位を適切に吸収することができる。
【００２３】
更に、電子制御回路基板５０がコネクタ部等と電気的に接続された後、カバー６０がソレノイドハウジング３０に固定されて密閉され、図１に示す状態となる。尚、電子制御回路基板５０は、ソレノイドハウジング３０をバルブハウジング１０に固定した後に、ソレノイドハウジング３０に支持することとしてもよい。また、円筒部は、第１及び第２のヨーク４１，４２の何れか一方のみに形成することとしてもよいが、その場合には第１のヨーク４１の円筒部４１ｂを形成することとした方がウェーブワッシャ４５の装着が容易である。第１のヨーク４１と第２のヨーク４２の結合手段としては、前述のかしめ結合に限ることなく、種々の結合手段を用いることができる。
【００２４】
【発明の効果】
本発明は上述のように構成されているので、以下に記載する効果を奏する。即ち、本発明の電磁弁ユニットにおいては、ソレノイドが、円筒状のコイルと、このコイルの軸方向の両側に配置して接合する第１のヨーク及び第２のヨークと、これら第１及び第２のヨークの何れか一方とコイルとの間に介装する弾性部材とを備えたサブアセンブリで構成されており、コイルが第２のハウジングに固定され、第１及び第２のヨークがコイルに対し、コイルの径方向及び軸方向に相対的移動可能に支持されるので、このサブアセンブリを装着した第２のハウジングを第１のハウジングに接合することにより、寸法公差等に影響されることなくソレノイドを柱状部材に対して適切に嵌合し、容易に組み付けることができ、良好な生産性が得られる。
【００２５】
上記電磁弁ユニットにおいて、請求項２に記載のように、第１及び第２のヨークの少くとも一方を、コイルの中空部内に延出する円筒部を備えたものとし、この円筒部の外面とコイルの中空部内面との間に所定の間隙を以ってコイルを円筒部に遊嵌する構成とすれば、第１及び第２のヨークがコイルに対して相対移動可能に支持されるので、柱状部材に対してソレノイドを適切且つ容易に嵌合することができる。
【００２６】
更に、請求項３に記載のように、少なくとも第１のヨークに円筒部を形成し、この円筒部に遊嵌するウェーブワッシャによって弾性部材を構成することにより、安価に構成することができると共に、一層容易に組付作業を行なうことができる。
【図面の簡単な説明】
【図１】本発明の一実施形態に係る電磁弁ユニットの一部の断面図である。
【図２】本発明の一実施形態おけるソレノイドユニットの分解斜視図である。
【図３】本発明の一実施形態におけるソレノイドユニットをソレノイドハウジングに支持した状態を示す断面図である。
【図４】本発明の一実施形態におけるソレノイドユニットをソレノイドハウジングに支持した状態を示す断面図で、図３の断面と直交する断面を表す断面図である。
【図５】本発明の一実施形態においてソレノイドユニットを支持したソレノイドハウジングを示す平面図である。
【図６】図５のＡ−Ａ線に沿った断面を表す断面図である。
【図７】本発明の一実施形態においてスリーブを立設した状態のバルブハウジングを示す平面図である。
【符号の説明】
１０  バルブハウジング（第１のハウジング）
２０  スリーブ
３０  ソレノイドハウジング（第２のハウジング）
４０  ソレノイドユニット
４１  第１のヨーク
４２  第２のヨーク
４３  ボビン
４４  コイル
４５  ウェーブワッシャ
５０  電子制御回路基板
６０  カバー
【図１】
0003834903.tif 000002
【図２】
0003834903.tif 000003
【図３】
0003834903.tif 000004
【図４】
0003834903.tif 000005
【図５】
0003834903.tif 000006
【図６】
0003834903.tif 000007
【図７】
0003834903.tif 000008